(57)【要約】      （修正有）【課題】ケーブルで接続された移動部と固定部で構成されるＸ線撮影装置において、移動部の移動にともない必要なケーブルの長さが変化しても弛むことなく収納する配線長さの調整機構を有するＸ線撮影装置を提供する。【解決手段】ケーブルが移動部と固定部間に接続されかつケーブルの中間が、２個の滑車が配設された滑車機構に対してＳ字形に掛け渡されるとともに、滑車機構の一方側の滑車をケーブルの移動部側への移動方向と逆方向に付勢された状態でケーブルの移動方向に移動可能な構造とした。一方側の滑車はばね力により移動部の方向と逆方向に付勢される、あるいは一方側の滑車に取り付けた錘の荷重により一方側の滑車が移動部の方向と逆方向に付勢される構造である。【選択図】図１
0003154652.tif 000002
【実用新案登録請求の範囲】
【請求項１】
ケーブルが移動部と固定部間に接続されかつ前記ケーブルの中間が、２個の滑車が配設された滑車機構に対してＳ字形に掛け渡されるとともに、前記滑車機構の一方側の滑車を前記ケーブルの前記移動部側への移動方向と逆方向に付勢された状態で前記ケーブルの当該移動方向に移動可能な構造としたことを特徴とする配線長さの調整機構を有するＸ線撮影装置。
【請求項２】
前記一方側の滑車はばね力により前記移動部の方向と逆方向に付勢される構造であることを特徴とする請求項１記載の配線長さの調整機構を有するＸ線撮影装置。
【請求項３】
前記一方側の滑車に取り付けた錘の荷重により前記一方側の滑車が前記移動部の方向と逆方向に付勢される構造であることを特徴とする請求項１記載の配線長さの調整機構を有するＸ線撮影装置。
【考案の詳細な説明】
【技術分野】
【０００１】
本考案は、ケーブルで接続された移動部と固定部の間の配線長さの調整機構を有するＸ線撮影装置に係り、特に移動部の移動にともない必要なケーブルの長さが変化しても弛むことなく収納する技術に関する。
【背景技術】
【０００２】
ケーブルで接続された移動部と固定部で構成される電気機器においては、移動部の動作位置によって必要とするケーブルの配線長さが異なることがあり、最も長くなった場合に基づいて配線長さを確保している。移動部の動作位置により確保した配線長さを必要としない場合は、余分な長さの配線は電気機器の外部に出すか、あるいは電気機器内部に余分な配線のための収納空間を設けている。
【０００３】
例えばＸ線撮影装置において、Ｘ線管などを保持する支柱についてその上方位置にばねバランサーを配置し、下方位置にローラを付設し、Ｘ線管からつながっているケーブルがローラ及びばねバランサーに付設した通し環付きワイヤを介してたるみ加減により保持されている構造のケーブル処理装置が提供されている（特許文献１参照）。
【先行技術文献】
【特許文献】
【０００４】
【特許文献１】実開Ｓ６３−５５３９９号公報
【考案の概要】
【考案が解決しようとする課題】
【０００５】
従来、余分な長さの配線はＸ線撮影装置の外部に付設していたため、Ｘ線撮影装置が余分な空間を占有するという問題とともに、美観を損なうという問題があった。一方、余分な長さの配線をＸ線撮影装置の内部に配設した場合、Ｘ線撮影装置の狭い空間内で配線が複雑に絡まりあう可能性があり、さらには配線の損傷あるいは断線に至る可能性もある。
【課題を解決するための手段】
【０００６】
本考案は、ケーブルが移動部と固定部間に接続されかつ前記ケーブルの中間が、２個の滑車が配設された滑車機構に対してＳ字形に掛け渡されるとともに、前記滑車機構の一方側の滑車を前記ケーブルの前記移動部側への移動方向と逆方向に付勢された状態で前記ケーブルの当該移動方向に移動可能な構造としたものである。さらに前記一方側の滑車はばね力により前記移動部の方向と逆方向に付勢される構造である。あるいは前記一方側の滑車に取り付けた錘の荷重により前記一方側の滑車が前記移動部の方向と逆方向に付勢される構造である。したがって、余分な長さのケーブルは伸縮可能に折り返されて狭い空間の中でも絡み合うことはない。
【考案の効果】
【０００７】
余分な長さのケーブルは滑車で伸縮可能に折り返されるとともに配線経路が決定するため、Ｘ線撮影装置内部の狭い空間の中でも絡み合うことのない配線長さの調整機構を備えたＸ線撮影装置の供給が可能である。また、配線が外部に出ないため、Ｘ線撮影装置の美観を保つとともに術者の作業の邪魔にならない。さらに据付時の配線作業にあたり必要な最大長さのための余裕を考慮しなくてもよいため作業性が向上する。
【図面の簡単な説明】
【０００８】
【図１】本考案の実施例による配線長さの調整機構の概略構造を示す図である。
【図２】本考案の変形例による配線長さの調整機構の概略構造を示す図である。
【考案を実施するための形態】
【０００９】
本考案の実施例によるケーブルで接続された移動部と固定部で構成される電気機器は、Ｘ線撮影装置に係り、前記移動部を構成するＸ線管球と該Ｘ線管球を保持する支柱上部と、該支柱上部を上下移動可能に保持する筒状の支柱からなる構造を有する。該筒状の支柱は前記固定部を構成し天板とともに傾斜可能に保持されている。
【実施例】
【００１０】
本考案の実施例による配線長さの調整機構を有するＸ線撮影装置について、図１を参照して説明する。図１は、本考案の実施例による配線長さの調整機構の概略構造を示す図である。図１において、Ｘ線管球１と、ケーブルガイド２ａ、２ｂが配設された支柱上部２は移動部を構成し、ガイド３ａとカバー４と滑車６、７とばね８が配設された筒状の支柱３は固定部を構成する。Ｘ線管球１は支柱上部２の一端に保持され、支柱上部２の軸回り（回転方向α）に回転可能である。支柱上部２は上下移動（移動方向ｅ）可能に筒状の支柱３に保持されている。筒状の支柱３は図示しない天板とともに傾斜可能に床に架設されており、説明のため外して示すカバー４が筒状の支柱３に被設される。
【００１１】
一端がＸ線管球１に接続されたケーブル５は、支柱上部２の上面に備えられた二組のケーブルガイド２ａ、２ｂの内側を滑動可能に配設され、側面に沿って下降し、筒状の支柱３の内部に導入され移動可能に保持された回転自在の滑車６に導かれる。さらにケーブル５は、滑車６でＵ字型に折り返し、固定された滑車７に導かれ、滑車７で保持固定され折り返し、他端が図示しないＸ線発生装置に接続される。
【００１２】
回転自在の滑車６は、筒状の支柱３に形成されたガイド３ａに沿って移動可能に保持され、滑車６に付設されたばね８により支柱上部２の方向と逆方向に付勢される。ケーブル５はばね８のばね力の１／２の力で付勢される。
【００１３】
本考案は以上の構造であるから、Ｘ線管球１の回転動作や支柱上部２の上方への移動によりケーブル５の必要配線長さが長く引き出される場合は、滑車６は上方に移動し配線の折りたたまれている部分が短くなり、必要な配線長さが確保される。逆に必要配線長さが短くなる場合は、滑車６は下方に移動し余分な配線が折りたたまれる。また、滑車６が上下移動して折りたたまれる配線長が変化しても滑車６と滑車７により配線経路が決定しておりかつケーブル５はばね力で付勢されているため、配線が弛んで絡まることはない。
【００１４】
図１に示す実施例においては、滑車６はばね８によって付勢されているが、代わりに、図２に示す、錘２１と、錘２１の荷重を滑車６に作用させるロープ２３と、筒状の支柱３の傾斜角度βが変化しても滑車６に作用する力が常に方向ｗの方向になるようにするローラ２２とからなる構造の付勢手段でも本考案は適用可能である。なお図２において図１と同じ符号で示す部品は図１と同じものなので説明は省略する。
【産業上の利用可能性】
【００１５】
本考案は、ケーブルで接続された移動部と固定部の間の配線長さの調整機構を有するＸ線撮影装置に係り、特に移動部の移動にともない必要なケーブルの長さが変化しても弛むことなく収納する技術に利用の可能性がある。
【符号の説明】
【００１６】
１  Ｘ線管球
２  支柱上部
２ａ  ケーブルガイド
２ｂ  ケーブルガイド
３  筒状の支柱
３ａ  ガイド
４  カバー
５  ケーブル
６  滑車
７  滑車
８  ばね
２１  錘
２２  ローラ
２３  ロープ
ｅ  移動方向
ｗ  方向
α  回転方向
β  傾斜角度
【図１】
0003154652.tif 000003
【図２】
0003154652.tif 000004